(57)【要約】【課題】収納効率が高く、使い勝手の良い高圧洗浄機を提供する。【解決手段】この高圧洗浄機１０は、駆動源となる電動モータと、電動モータによって駆動されることで、供給される水を加圧して高圧水を発生させるポンプ機構２５と、電動モータおよびポンプ機構２５を収納する筺体１１と、を備えている。そして、この高圧洗浄機１０では、筺体１１の外郭形状が、横長の略直方体で構成されており、操作者からのアクセスを受ける全てのアクセス部材３１，３５，３６，３７，３８，３９が、横長の略直方体をした筺体１１の一面側に対して集中して配置されている。【選択図】図１
2017070911.tif 000002
【特許請求の範囲】
【請求項１】
駆動源となる電動モータと、
前記電動モータによって駆動されることで、供給される水を加圧して高圧水を発生させるポンプ機構と、
前記電動モータおよび前記ポンプ機構を収納する筺体と、
を備える高圧洗浄機において、
前記筺体の外郭形状が、横長の略直方体で構成されており、
操作者からのアクセスを受ける全てのアクセス部材が、横長の略直方体をした前記筺体の一面側に対して集中して配置されていることを特徴とする高圧洗浄機。
【請求項２】
請求項１に記載の高圧洗浄機において、
前記アクセス部材は、電源コネクタ、スイッチ装置、給水コネクタ、吐水口、エア抜きバルブ、給油口を含んで構成されることを特徴とする高圧洗浄機。
【請求項３】
請求項１又は２に記載の高圧洗浄機において、
前記筺体の一面側には、複数の深さを有する複数の凹面領域が形成されており、
前記複数の凹面領域には、１又は複数の前記アクセス部材が配置されていることを特徴とする高圧洗浄機。
【請求項４】
請求項２に記載の高圧洗浄機において、
前記アクセス部材のうち、電源コネクタおよびスイッチ装置が前記筺体の一面側の上方側に配置されていることを特徴とする高圧洗浄機。
【請求項５】
請求項２に記載の高圧洗浄機において、
前記アクセス部材のうち、電気系統に関係する電源コネクタおよびスイッチ装置と、水系統に関係する給水コネクタ、吐水口およびエア抜きバルブとが、前記筺体の一面側において離れて配置されていることを特徴とする高圧洗浄機。
【請求項６】
請求項２に記載の高圧洗浄機において、
前記給水コネクタの周囲に対して、前記筺体の一面側から外方に向けて突出するガード部が突設されていることを特徴とする高圧洗浄機。
【請求項７】
請求項２に記載の高圧洗浄機において、
前記筺体の一面側の前記電源コネクタと前記給油口が配置された箇所に対して、開閉式のカバー部材が設置されていることを特徴とする高圧洗浄機。
【発明の詳細な説明】
【技術分野】
【０００１】
本発明は、家庭などで用いられる高圧洗浄機に関するものである。
【背景技術】
【０００２】
従来から、家屋の外回りや自動車の洗浄などに用いられる高圧洗浄機が知られている。この種の高圧洗浄機は、例えば、駆動源となる電動モータと、電動モータによって駆動されることで、供給される水を加圧して高圧水を発生させるポンプ機構と、電動モータおよびポンプ機構を収納する筺体と、を備える構成を有するものであり、外部電源からの給電によりポンプ機構を運転して水道や貯水槽などの水源から供給された水を加圧し、ノズルガンから対象物に向かって吐出することで、対象物に付着した汚れの除去を行うことができる装置である（例えば、下記特許文献１参照）。
【先行技術文献】
【特許文献】
【０００３】
【特許文献１】特開２０１４−３９９０２号公報
【発明の概要】
【発明が解決しようとする課題】
【０００４】
しかしながら、上掲した特許文献１に開示された従来の高圧洗浄機は、外郭形状が縦長の輪郭を有して構成されているため、収納空間に高さが必要となってしまうという課題を有するものであった。また、特許文献１に開示された高圧洗浄機は、外形部にホース掛けやコード掛け、ガン収納部といった突出部が存在しているので、収納効率が良くないといった課題も存在していた。さらに、使用時に操作者からのアクセスを受けるアクセス部材（例えば、給水側継ぎ手と吐出側継ぎ手など）が複数の側面に配置されているので、操作性が悪く使い勝手が良くないといった課題が存在していた。
【０００５】
本発明は、上述した従来技術に存在する種々の課題に鑑みて成されたものであり、その目的は、コンパクトな外郭形状を有することで収納効率が高く、しかも使い勝手の良い高圧洗浄機を提供することにある。
【課題を解決するための手段】
【０００６】
以下、本発明について説明する。なお、本発明の理解を容易にするために添付図面の参照番号を括弧書きにて付記するが、それにより本発明が図示の形態に限定されるものではない。
【０００７】
本発明に係る高圧洗浄機（１０）は、駆動源となる電動モータと、前記電動モータによって駆動されることで、供給される水を加圧して高圧水を発生させるポンプ機構（２５）と、前記電動モータおよび前記ポンプ機構（２５）を収納する筺体（１１）と、を備える高圧洗浄機（１０）であって、前記筺体（１１）の外郭形状が、横長の略直方体で構成されており、操作者からのアクセスを受ける全てのアクセス部材が、横長の略直方体をした前記筺体（１１）の一面側に対して集中して配置されていることを特徴とするものである。
【０００８】
本発明に係る高圧洗浄機（１０）において、前記アクセス部材は、電源コネクタ（３６）、スイッチ装置（３７）、給水コネクタ（３１）、吐水口（３５）、エア抜きバルブ（３９）、給油口（３８）を含んで構成することができる。
【０００９】
また、本発明に係る高圧洗浄機（１０）において、前記筺体（１１）の一面側には、複数の深さを有する複数の凹面領域（４１，４５，４５ａ，４６，４７）が形成されており、前記複数の凹面領域（４１，４５，４５ａ，４６，４７）には、１又は複数の前記アクセス部材（３１，３５，３９，３６，３７，３８）が配置されていることとすることができる。
【００１０】
また、本発明に係る高圧洗浄機（１０）では、前記アクセス部材のうち、電源コネクタ（３６）およびスイッチ装置（３７）が前記筺体（１１）の一面側の上方側に配置されていることとすることができる。
【００１１】
また、本発明に係る高圧洗浄機（１０）では、前記アクセス部材のうち、電気系統に関係する電源コネクタ（３６）およびスイッチ装置（３７）と、水系統に関係する給水コネクタ（３１）、吐水口（３５）およびエア抜きバルブ（３９）とが、前記筺体（１１）の一面側において離れて配置されていることとすることができる。
【００１２】
また、本発明に係る高圧洗浄機（１０）では、前記給水コネクタ（３１）の周囲に対して、前記筺体（１１）の一面側から外方に向けて突出するガード部（５０）が突設されていることとすることができる。
【００１３】
また、本発明に係る高圧洗浄機（１０）では、前記筺体（１１）の一面側の前記電源コネクタ（３６）と前記給油口（３８）が配置された箇所に対して、開閉式のカバー部材（３６ａ，３８ａ）が設置されていることとすることができる。
【発明の効果】
【００１４】
本発明によれば、コンパクトな外郭形状を有することで収納効率が高く、しかも使い勝手の良い高圧洗浄機を提供することができる。
【図面の簡単な説明】
【００１５】
【図１】本実施形態に係る高圧洗浄機の外観斜視図であり、前面上側から見た場合を示している。
【図２】本実施形態に係る高圧洗浄機の前面側を示す部分破断前面図である。
【図３】本実施形態に係る高圧洗浄機の後面側を示す部分破断後面図である。
【図４】本実施形態に係る高圧洗浄機の左側側面を示す部分破断左側面図である。
【図５】本実施形態に係る高圧洗浄機の内部構成を説明するための図であり、特に、高圧洗浄機の内部を前面側から見た場合の図を示している。
【図６】本実施形態に係る高圧洗浄機の内部構成を説明するための図であり、特に、高圧洗浄機の内部を後面側から見た場合の図を示している。
【図７】図６中のＣ−Ｃ断面を示す断面図である。
【図８】図５中のＢ−Ｂ断面を示す断面図である。
【図９】図２中の符号Ａ矢視を示す図である。
【図１０】図８中のＤ−Ｄ断面を示す図である。
【発明を実施するための形態】
【００１６】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
図１は、本実施形態に係る高圧洗浄機の外観斜視図であり、前面上側から見た場合を示している。図２は、本実施形態に係る高圧洗浄機の前面側を示す部分破断前面図であり、図３は、本実施形態に係る高圧洗浄機の後面側を示す部分破断後面図であり、図４は、本実施形態に係る高圧洗浄機の左側側面を示す部分破断左側面図である。また、図５および図６は、本実施形態に係る高圧洗浄機の内部構成を説明するための図であり、特に、図５が高圧洗浄機の内部を前面側から見た場合の図を示しており、図６が高圧洗浄機の内部を後面側から見た場合の図を示している。さらに、図７は、図６中のＣ−Ｃ断面を示す断面図であり、図８は、図５中のＢ−Ｂ断面を示す断面図であり、図９は、図２中の符号Ａ矢視を示す図であり、図１０は、図８中のＤ−Ｄ断面を示す図である。なお、本明細書では、説明の便宜のために、図１に対して「前後・上下・左右」の方向を記載することで高圧洗浄機１０の方向を定義した。この方向は、本実施形態に係る高圧洗浄機１０の使用時における基本的な状態を考慮して定義されたものであるが、この方向が高圧洗浄機１０の使用状態を限定するものではない。
【００１８】
本実施形態に係る高圧洗浄機１０は、図１〜図４に示すように、装置全体の外郭形状が、横長の略直方体で構成される筺体１１によって構成されている。筺体１１の上部には、高圧洗浄機１０を持ち運ぶ際に使用するハンドル１２が設置されている。このハンドル１２は、図１〜図４では引き起こした状態が描かれているが、図１〜図４で示した状態から後方側に向けて倒すことが可能となっている。そして、図１および図３で示されるように、筺体１１の上面後方側には、ハンドル１２を後方側に倒した場合にハンドル１２を収納するハンドル収納凹部１３が形成されている。したがって、ハンドル１２を後方側に倒すと、当該ハンドル１２は、横長の略直方体で構成される筺体１１の外郭形状の内部に収まって外方にはみ出さないように構成されているので、本実施形態に係る高圧洗浄機１０は、コンパクトで収納効率が非常に高い構成を備えているといえる。
【００１９】
また、本実施形態に係る筐体１１は、前面側と後面側を構成する前後半割部材を組み合わせることで構成されている。すなわち、図５では、筺体１１を構成する前面側の半割部材を取り外した状態が示されており、一方、図６では、筺体１１を構成する後面側の半割部材を取り外した状態が示されている。また、筺体１１の下面側の四隅には、４つの脚部１４が形成されており、高圧洗浄機１０の安定した自立状態を維持できるようになっている。
【００２０】
さらに、上述した筺体１１の内部には、駆動源となる不図示の電動モータと、この電動モータによって駆動されることで、供給される水を加圧して高圧水を発生させるポンプ機構２５とが、収納設置されている（図５および図６参照）。
【００２１】
電動モータとポンプ機構２５の具体的な構成については、出願人によって出願された「特開２０１４−２２３５７６号公報」等によって既に公知であるので、詳細な説明は省略するが、本実施形態に係る電動モータ（不図示）は、当該電動モータの外周を覆って配置されるモータユニット２１の内部に収納されており、不図示の電源から供給される外部電力によって回転駆動する。この不図示の電動モータは、界磁束発生源である回転子と、この回転子を回転させる回転磁界を発生するための固定子とから構成されている。回転子は、モータ軸を有して構成されているとともに、モータ軸の先端には斜板が取り付けられている。電動モータは、斜板の回転運動を後述するポンプ機構２５に伝達することで、駆動源としての機能を発揮する。一方、固定子は、モータユニット２１内で固定設置されている。
【００２２】
また、本実施形態に係るモータユニット２１には、電動モータを冷却するための冷却水を導通させるキャビティが、電動モータの外周を取り囲むように形成されている。このキャビティは、固定子に接触するとともに固定子の周りを取り囲むように設置されており、その空間形状は、略円筒形状となるように構成されている。なお、モータユニット２１に形成されるキャビティを形成する部材には、固定子から伝達される熱をキャビティ内の冷却水に効率よく伝達するために、例えばアルミニウム合金等の熱伝導性の高い金属が採用されている。
【００２３】
以上のように構成される本実施形態に係るモータユニット２１には、図５にて示すように、モータユニット２１の下方左側の位置に給水コネクタ３１が設置されており、モータユニット２１の上方右側の位置に吐出導水口３２が形成されている。吐出導水口３２には導水ホース３３が設置されており、この導水ホース３３は、後述するポンプ機構２５の給水導水口３４に接続している。つまり、給水コネクタ３１から供給された水は、不図示のキャビティを満たして電動モータの熱を奪った後に、吐出導水口３２から排出され、給水導水口３４を経由してポンプ機構２５内に供給されることとなる。
【００２４】
一方、本実施形態に係るポンプ機構２５は、モータユニット２１と前記斜板を介して動力伝達可能に接続する部材である。本実施形態に係るポンプ機構２５では、略水平方向で往復運動を行う複数のピストンが、斜板の軸端面側の傾斜面に埋め込み設置されたスラストベアリングと接触状態で設置されている。複数のピストンには、バネが設置されており、常にはバネの作用によってスラストベアリング側へ突出する方向（すなわち、図５における紙面右方向）に弾性力が加わるとともに、このバネの弾性力に抗する横向き（図５における紙面左方向）の力が加わると、ピストンが左方向へと移動するように構成されている。つまり、複数のピストンのそれぞれは、略水平方向（左右方向）で往復ピストン運動ができるように構成されている。
【００２５】
そして、斜板に埋め込み設置されたスラストベアリングと複数のピストンとが接触するポンプ内領域は潤滑油で満たされており、スラストベアリングと複数のピストンとの良好な接触状態が実現するように構成されている。したがって、不図示の電動モータが駆動されてモータ軸が回転駆動すると、この回転駆動力によって斜板が回転駆動されることとなるが、斜板が回転駆動されると、斜板の軸端面側に形成された傾斜面の作用によってスラストベアリングが傾斜した状態で回転運動を行うので、このスラストベアリングによって複数のピストンが順に反斜板方向（図５における紙面左方向）へ押し込まれるとともに、この方向への押し込みを解除され、複数のピストンが順に往復ピストン運動を行うようになっている。
【００２６】
複数のピストンの先には、給水導水口３４を経由して送られてくる水が誘導される。複数のピストンの設置箇所の左側位置に誘導された水は、ピストンによる往復ピストン運動の作用によって加圧されて、高圧水が生成されることとなる。
【００２７】
ポンプ機構２５によって加圧されて生成された高圧水は、ポンプ機構２５の上方側に設けられた吐水口３５から外部（高圧洗浄機１０の前方側）に向けて吐出される。吐水口３５には、高圧ホースを接続することができるので、生成された高圧水は、吐水口３５と接続される高圧ホースに誘導されることで、外部への高圧洗浄作業に用いられることとなる。
【００２８】
以上、本実施形態に係る高圧洗浄機１０の基本構成について説明したが、本実施形態に係る高圧洗浄機１０は、種々の有意な特徴を備えている。そこで特に、図１、図２および図５を参照して、本実施形態に係る高圧洗浄機１０の特徴的な構成を説明する。
【００２９】
図１、図２および図５で示すように、本実施形態に係る高圧洗浄機１０では、操作者からのアクセスを受ける全てのアクセス部材が、横長の略直方体をした筺体１１の一面側、すなわち、筺体１１の前面側に対して集中して配置されている。ここで、本実施形態に係るアクセス部材は、電源コネクタ３６、スイッチ装置３７、給水コネクタ３１、吐水口３５、エア抜きバルブ３９および給油口３８によって構成されている。このように、本実施形態では、操作者からのアクセスを受ける全てのアクセス部材が筺体１１の前面側に集中して配置されているので、非常に使い勝手の良い構成となっている。
【００３０】
また、本実施形態では、全てのアクセス部材が設置される筺体１１の前面側に対して、複数の深さを有する複数の凹面領域４１，４５，４５ａ，４６，４７が形成されており、これら複数の凹面領域４１，４５，４５ａ，４６，４７には、１又は複数のアクセス部材が配置されている。すなわち、前面右下側の凹面領域４１には給水コネクタ３１が、前面左側の凹面領域４５，４５ａには吐水口３５およびエア抜きバルブ３９が、前面右上側の凹面領域４６には電源コネクタ３６が、前面中央上側の凹面領域４７にはスイッチ装置３７が配置されている。そして、各凹面領域４１，４５，４５ａ，４６，４７は、配置されたアクセス部材の形状や特性に応じて様々な深さで構成されている。
【００３１】
具体的には、水系統に関係する吐水口３５およびエア抜きバルブ３９は、筺体１１の前面側から最も深い深さの凹面領域４５に配置されるとともに、エア抜きバルブ３９の下側の凹面領域４５ａが、下側に向かうほど深さが浅くなる傾斜面として形成されている。吐水口３５は、高圧水が外部前方に向けて吐出する部材であり、吐水ガン等につながる高圧ホースが差し込み設置される部材であるので、筺体１１の前面側から比較的深い凹面領域４５に配置されることで、吐水口３５と高圧ホースの差し込み箇所が筺体１１の前面側の外郭からはみ出さない位置となるため、安定した差し込み状態が維持される点で好適である。また、エア抜きバルブ３９は、給水コネクタ３１から吐水口３５に至る経路中の空気を抜くことで、例えば、水圧の無い貯水槽やため池などの水源から水を導入する際に、キャビティ等に水を導入する機能を発揮する。また、高圧洗浄機１０の使用後等にエア抜きバルブ３９を開放することで、キャビティ等に残留した水を抜くことができる。したがって、エア抜きバルブ３９からは、空気の混ざった水等が排出されることとなるので、この水をスムーズに外部に流すために、傾斜面として形成された凹面領域４５ａが有効に機能することとなる。
【００３２】
また、スイッチ装置３７は、電源のオン・オフの際に操作される部位であり、操作者から頻繁に操作を受ける部位であるので、このスイッチ装置３７を収納する凹面領域４７は比較的浅い深さで構成されている。
【００３３】
なお、アクセス部材のうち、電気系統に関係する電源コネクタ３６およびスイッチ装置３７については、筺体１１の前面側の上方側に配置されている。かかる構成は、高圧洗浄機１０が高圧水を扱う装置であることを考慮したものであり、電気系統に関係するアクセス部材を水の掛かりやすい地面近傍に配置することを避け、地面から離れた筺体１１の上側に電源コネクタ３６およびスイッチ装置３７を配置することで、これら電気系統の部材に水が掛かることを防止することが実現されている。
【００３４】
また、アクセス部材のうち、電気系統に関係する電源コネクタ３６およびスイッチ装置３７と、水系統に関係する給水コネクタ３１、吐水口３５およびエア抜きバルブ３９とは、筺体１１の前面側において離れて配置された構成が採られている。かかる構成も、水系統のアクセス部材と電気系統のアクセス部材との間に距離を取ることで、安全性の高い高圧洗浄機１０を実現するために採用された構成である。
【００３５】
さらに、筺体１１の前面側の電源コネクタ３６と給油口３８が配置された箇所に対しては、開閉式のカバー部材３６ａ，３８ａがそれぞれ設置されている。電源コネクタ３６は、外部電源からの電気を供給される部材であり、水の浸入を避けなければならないことから、安全性の観点でカバー部材３６ａが設置されている。なお、このカバー部材３６ａは、図７〜図９に示されるように、筺体１１との接続部である蝶番の箇所にコイルバネ９１が設置されているので、このコイルバネ９１によって及ぼされる弾性力によって、カバー部材３６ａは常に凹面領域４６を塞ぐ方向に力を受けている。したがって、操作者は、このコイルバネ９１の弾性力に抗する力をカバー部材３６ａに加えることで、カバー部材３６ａを開放し、図８に示すように、外部電源に接続する外部コネクタ８１を挿入することができる。
【００３６】
一方、給油口３８は、モータユニット２１とポンプ機構２５の接続部近傍に設置されて潤滑油を供給するために設けられる部材であり、メンテナンスのために用いられるので頻繁に使用されるものではない。そこで、給油口３８の設置された凹面領域にもカバー部材３８ａが設けられている。このカバー部材３８ａについては、使用頻度が多くないので、上述した電源コネクタ３６のカバー部材３６ａに適用されたようなコイルバネ９１は設置されておらず、筺体１１に形成された凹面領域とカバー部材３８ａとの形状の効果による摩擦等を利用することによって、筺体１１に対するカバー部材３８ａの取り付けと取り外しができるようになっている。
【００３７】
またさらに、筺体１１の前面側の給水コネクタ３１の周囲にも、凹面領域４１が形成されているが、この給水コネクタ３１の設置箇所と重畳する筺体内部側には、高圧洗浄機１０の構成部材の中でも大きな容積を占めるモータユニット２１が設置されているので、給水コネクタ３１を筺体１１の前面側から突出しないように配置するには限界がある。なぜなら、給水コネクタ３１を筺体１１の内部に収めるように配置すると、筺体１１自体を大きくする必要があるからである。そこで、本実施形態では、筺体１１の前面側から給水コネクタ３１が突出することを許容しつつも、給水コネクタ３１の左右位置に対して、筺体１１の前面側から外方に向けて突出する２つのガード部５０を突設することとした。これら２つのガード部５０の設置によって、給水コネクタ３１の周囲を保護するとともに、筺体１１全体としての大きさをコンパクトにすることが実現できている。また、図４から明らかな通り、筺体１１の前面側からは、２つのガード部５０が大きく突出するとともに、スイッチ装置３７が僅かにはみ出す構成となっているので、例えば、筺体１１が前面側に向けて倒れたとしても、筺体１１の前面側の周囲外形部と２つのガード部５０のみが高圧洗浄機１０の設置地面に接触し、全てのアクセス部材は設置地面に接触することが無いので、安全性が高く装置寿命の長い高圧洗浄機１０を実現することができている。
【００３８】
なお、本実施形態に係る電源コネクタ３６には、ボールプランジャ１０１が設置されており、外部コネクタ８１に形成されたボール係止溝８１ａに対してボールプランジャ１０１が有するボールが嵌り込むことで、電源コネクタ３６に対する外部コネクタ８１の確実な接続状態が実現されることとなる。ちなみに、本実施形態において、外部コネクタ８１に形成されたボール係止溝８１ａと、ボールプランジャ１０１が有するボールとの嵌め込みの実施と解除は、電源コネクタ３６に対して外部コネクタ８１を差し込んだ後、外部コネクタ８１を約９０度回転させることで、ボール係止溝８１ａとボールとの嵌め合いが実現するようになっている。また、電源コネクタ３６に対して外部コネクタ８１を嵌め込み設置した際には、カバー部材３６ａが開放状態となるため、電源コネクタ３６と外部コネクタ８１との接続箇所に対する外部からの水の浸入を防ぐ必要がある。そこで、本実施形態では、外部コネクタ８１の差し込み部の全周にゴム部材からなる防水パッキンを設置し、この防水パッキンが電源コネクタ３６と外部コネクタ８１との間に挟まれることで、電源コネクタ３６と外部コネクタ８１との接続箇所に対する外部からの水の浸入を防ぐことが行われている。ただし、防水パッキンを設置する箇所については、外部コネクタ８１側ではなく、電源コネクタ３６側に設けても良い。
【００３９】
以上説明したように、本実施形態に係る高圧洗浄機１０では、操作者からのアクセスを受ける全てのアクセス部材が、横長の略直方体をした筺体１１の前面側に対して集中して配置されているので、操作性の高い高圧洗浄機が実現されている。また、本実施形態に係る高圧洗浄機１０は、その外郭形状が横長の略直方体をした筺体１１として構成されているので、従来技術に比べて収納スペースを低くできるとともに、収納効率を高めることができる。さらに、本実施形態では、外部コネクタ８１を着脱可能な電源コネクタ３６を採用したので、より収納効率を高めることが可能となっている。なお、本実施形態に係る高圧洗浄機１０から取り外した電源コードや給水ホース、高圧ホース、ノズルガン等については、操作者が所望の位置に収納すれば良く、従来技術のような外形部から突出するホース掛けやコード掛け、ガン収納部といった収納効率を阻害する部位は、本実施形態に係る高圧洗浄機１０には存在していない。
【００４０】
また、本実施形態に係る高圧洗浄機１０では、筺体１１の上面側がほぼフラットな水平面として構成されているので、上面に対して軽量物を置くことができる。かかる構成も、本実施形態に係る高圧洗浄機１０を使い勝手の良いものとしている。
【００４１】
さらに、本実施形態では、アクセス部材の用途等によって凹面領域４１，４５，４５ａ，４６，４７を様々な深さで構成したので、アクセス性（操作性）の低下を防止しつつ、略直方体の外郭形状からのアクセス部材の突出量を必要最低限に抑えることが実現されている。
【００４２】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【符号の説明】
【００４３】
１０  高圧洗浄機、１１  筺体、１２  ハンドル、１３  ハンドル収納凹部、１４  脚部、２１  モータユニット、２５  ポンプ機構、３１  給水コネクタ、３２  吐出導水口、３３  導水ホース、３４  給水導水口、３５  吐水口、３６  電源コネクタ、３６ａ，３８ａ  カバー部材、３７  スイッチ装置、３８  給油口、３９  エア抜きバルブ、４１，４５，４５ａ，４６，４７  凹面領域、５０  ガード部、８１  外部コネクタ、８１ａ  ボール係止溝、９１  コイルバネ、１０１  ボールプランジャ。
【図１】
2017070911.tif 000003
【図２】
2017070911.tif 000004
【図３】
2017070911.tif 000005
【図４】
2017070911.tif 000006
【図５】
2017070911.tif 000007
【図６】
2017070911.tif 000008
【図７】
2017070911.tif 000009
【図８】
2017070911.tif 000010
【図９】
2017070911.tif 000011
【図１０】
2017070911.tif 000012